(57)【要約】【課題】線材をスプリング状に巻回形成した収納スタンドにおいて、設置の安定性を向上する。【解決手段】線材１をもって正面が矩形のスプリング状に巻回形成され、かつ各巻回部５に収納物６が起立状に挿入収納される空隙部７が形成される。巻回部５の端部８は底辺部４を形成するように横向きに形成される。横向きの一方の端部８には該横向きの一方の端部８の長手方向に沿って底辺部４より突設する延長部９が形成される。スタンド本体２より突出して載置面３に接する延長部９により収納物６を起立状に挿入収納した際の支持力を向上することができる。【選択図】図１
0003138410.tif 000002
【実用新案登録請求の範囲】
【請求項１】
線材をもって正面が環状でスプリング状に巻回形成され、かつ各巻回部に収納物が起立状に挿入収納される収納部が形成されると共に、底辺部が定置可能な収納スタンドにおいて、前記巻回部に前記底辺部より突設する延長部が形成されることを特徴とする収納スタンド。
【請求項２】
線材をもって正面が環状でスプリング状に巻回形成され、かつ各巻回部に収納物が起立状に挿入収納される収納部が形成されると共に、底辺部が定置可能な収納スタンドにおいて、前記巻回部の端部は前記底辺部を形成するように横向きに形成されると共に、該横向きの端部に前記底辺部より突設する延長部が形成されることを特徴とする収納スタンド。
【請求項３】
線材をもって正面が環状でスプリング状に巻回形成され、かつ各巻回部に収納物が起立状に挿入収納される収納部が形成されると共に、底辺部が安定的に定置可能な収納スタンドにおいて、前記巻回部の端部は前記底辺部を形成するように横向きに形成されると共に、該横向きの端部には該横向きの端部の長手方向に沿って前記底辺部より突設する延長部が形成されることを特徴とする収納スタンド。
【請求項４】
前記延長部は前記端部の直線状の長手方向に沿って設けられることを特徴とする請求項３記載の収納スタンド。
【請求項５】
前記延長部の突出長さは前記底辺部の幅よりも短く形成されたことを特徴とする請求項３又は４記載のスタンド。
【請求項６】
前記延長部の突出長さは前記底辺部の幅よりも長く形成されたことを特徴とする請求項３又は４記載のスタンド。
【請求項７】
前記巻回形成された隣接する線材は密着していることを特徴とする請求項１〜６のいずれか１項に記載のスタンド。
【請求項８】
前記線材がワイヤーにより形成されていることを特徴とする請求項１〜７のいずれか１項に記載の収納スタンド。
【考案の詳細な説明】
【技術分野】
【０００１】
本考案は、コンパクトディスク（ＣＤ）等光ディスクを収納したケースや、名刺、メモ紙類等収納物を起立状に収納して置く収納スタンドに関するものである。
【背景技術】
【０００２】
従来、この種のものとしてワイヤーをもって底辺部が安定的に定置可能な直線状の楕円形または三角形のスプリング状に巻回形成され、かつ各巻回部毎にカセット類等の収納物が起立状に挿入収納される収納空隙部が形成された構成を特徴とするカセット類等の収納スタンドが知られている（例えば、特許文献１）。
【特許文献１】実用新案登録第３１８７１８号公報
【考案の開示】
【考案が解決しようとする課題】
【０００３】
しかし、従来技術においては、底辺部の幅は巻回形成したワイヤーの長さと同じとなる。ところで、ワイヤーをスプリング状に巻回形成したものでは、隣接するワイヤー相互が固定していないので、振動や衝撃が与えられると全体にたわんで変形する傾向がある。このようなたわみ変形により底部が不安定となって収納スタンドが倒れてしまうおそれがある。また前記たわみ変形により保持力が低下することで収納空隙部に保持したＣＤのケースや名刺等が抜け出てしまうおそれがある。
【０００４】
解決しようとする課題は、線材をスプリング状に巻回形成した収納スタンドにおいて、設置の安定性を向上する点である。また、線材間に保持される被収納物を確実に保持できるようにする点である。
【課題を解決するための手段】
【０００５】
請求項１の考案は、線材をもって正面が環状でスプリング状に巻回形成され、かつ各巻回部に収納物が起立状に挿入収納される収納部が形成されると共に、底辺部が定置可能な収納スタンドにおいて、前記巻回部に前記底辺部より突設する延長部が形成されることを特徴とする収納スタンドである。
【０００６】
請求項２の考案は、線材をもって正面が環状でスプリング状に巻回形成され、かつ各巻回部に収納物が起立状に挿入収納される収納部が形成されると共に、底辺部が定置可能な収納スタンドにおいて、前記巻回部の端部は前記底辺部を形成するように横向きに形成されると共に、該横向きの端部に前記底辺部より突設する延長部が形成されることを特徴とする収納スタンドである。
【０００７】
請求項３の考案は、線材をもって正面が環状でスプリング状に巻回形成され、かつ各巻回部に収納物が起立状に挿入収納される収納部が形成されると共に、底辺部が安定的に定置可能な収納スタンドにおいて、前記巻回部の端部は前記底辺部を形成するように横向きに形成されると共に、該横向きの端部には該横向きの端部の長手方向に沿って前記底辺部より突設する延長部が形成されることを特徴とする収納スタンドである。
【０００８】
請求項４の考案は、前記延長部は前記端部の直線状の長手方向に沿って設けられることを特徴とする請求項３記載の収納スタンドである。
【０００９】
請求項５の考案は、前記延長部の突出長さは前記底辺部の幅よりも短く形成されたことを特徴とする請求項３又は４記載のスタンドである。
【００１０】
請求項６の考案は、前記延長部の突出長さは前記底辺部の幅よりも長く形成されたことを特徴とする請求項３又は４記載のスタンドである。
【００１１】
請求項７の考案は、前記巻回形成された隣接する線材は密着していることを特徴とする請求項１〜６のいずれか１項に記載のスタンドである。
【００１２】
請求項８の考案は、前記線材がワイヤーにより形成されていることを特徴とする請求項１〜７のいずれか１項に記載の収納スタンドである。
【考案の効果】
【００１３】
請求項１の考案によれば、スタンド本体の支持は底辺部のみならず、延長部によっても支持を行うことができ、収納部に収納物を起立状に挿入収納した際の支持力を向上することができる。
請求項２の考案によれば、スタンド本体の支持は底辺部のみならず、底辺部より突設した延長部によっても支持を行うことができ、収納部に収納物を起立状に挿入収納した際の支持力を向上することができる。
請求項３の考案によれば、スタンド本体の支持は底辺部のみならず、端部の長手方向に沿って前記底辺部より突設した延長部によっても支持を行うことができ、収納部に収納物を起立状に挿入収納した際の支持力を向上することができる。
【００１４】
請求項４の考案によれば、前記延長部は前記端部の直線状の長手方向に沿って設けられるので、横倒れに対抗することができる。
【００１５】
請求項５の考案によれば、延長部が比較的短いので机上等の載置面を邪魔することが少なくなる。
【００１６】
請求項６の考案によれば、スタンド本体より外側に突設した延長部が長いので確実に支持を行うことができる。
【００１７】
請求項７の考案によれば、線材が密着することで、薄い収納物でも挿入して収納でき、また揺れにくくなる等保持力を向上することができる
請求項８の考案によれば、比較的細い線材であっても確実に収納物を支持することができる。
【考案を実施するための最良の形態】
【００１８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１９】
図１〜２は実施例１を示しており、収納スタンドは、ワイヤーからなる線材１をスプリング状に巻回されたバネ性を有するスタンド本体２は、正面が矩形となるように巻回したものであって、机上等の載置面３と接する底辺部４が直線状に形成されており、かつ線材１の各巻回部５においてはこれら巻回部５相互は密着しており、そして前記バネ性によって巻回部５相互間にＣＤのケース等の収納物６が起立状に挿入収納される収納部たる空隙部７が形成されるようになっている。尚、巻回部５の正面大きさは収納物６の正面より小さく形成されている。
【００２０】
そして、前記巻回部５の一方の端部８は底辺部４を形成するように横向きに形成されると共に、該横向きの端部８には該横向きの端部８の長手方向Ｘに直線状に沿って底辺部４より突設する延長部９が形成されている。該延長部９の突出長さＡは底辺部４の幅Ｂよりも短く形成されている。尚、巻回部５の他方の端部10は巻回部５の縦向き部に形成されて上向きになっている。
【００２１】
次に前記構成についてその作用を説明する。予め載置面３に底辺部４を接してスタンド本体２を載置した状態で、隣接する巻回部５間を押し広げて収納空隙部７を形成し、そして収納物６を収納空隙部７に起立状に挿入収納することで、収納物６を複数並設して収納することができる。この際、収納物６の荷重によってスタンド本体２はバネ性に抗して変形して倒れようとするが、この倒れる力に対して、スタンド本体２の外側に突出する延長部９が載置面３に接しているので、この延長部９による支持力がスタンド本体２の倒れ防止を図ることができる。特に延長部９はスタンド本体２の外側に突出しているので、より大きな支持力を発揮することができる。
【００２２】
以上のように、前記実施例では請求項１に対応して、線材１をもって正面が矩形のスプリング状に巻回形成され、かつ各巻回部５に収納物６が起立状に挿入収納される収納部（空隙部７）が形成されると共に、底辺部４が安定的に定置可能であって、巻回部５に底辺部４より突設する延長部９を設け、該延長部９が載置面３に接することで、底辺部４と共に延長部９によってもスタンド本体２を支持することができる。
【００２３】
さらに、請求項２に対応して、横向きの端部８に底辺部４より突設する延長部９を設けたことで、底辺部４と共に延長部９によってもスタンド本体２を支持することができる。
【００２４】
また、請求項３に対応して、巻回部５の端部８は底辺部４を形成するように横向きに形成されると共に、該横向きの一方の端部８には該横向きの一方の端部８の長手方向に沿って底辺部４より突設する延長部９が形成されることで、従来技術においてはスタンド本体２の支持は底辺部４のみであったが、さらに実施例ではスタンド本体２より外側に突設し載置面３に接する延長部９によっても支持を行うことができ、収納部（空隙部７）に収納物６を起立状に挿入収納した際の支持力を向上することができると共に、前記延長部９は巻回部５の一方の端部８を、底辺部４をそのまま直線状に延長するだけで済むので製造も簡単である。
【００２５】
しかも、前記実施例では請求項４に対応して、延長部９は前記端部８の直線状の長手方向Ｘに沿って設けられることで、横向となりスタンド本体２の倒れ防止を果たすことができる。
【００２６】
前記実施例では請求項５に対応して、前記延長部９の突出長さＡは底辺部４の幅Ｂよりも短く形成されたことにより、該外側に突出した延長部９によってスタンド本体２を確実に支持することができると共に、延長部９が比較的短いので机上等の載置面３を邪魔することもない。
【００２７】
前記実施例では請求項７に対応して、前記巻回形成された隣接する線材１は密着していることにより、収納物６がないときにはスタンド本体２の全長を短くしてコンパクト化を図ることができ、さらに線材１が密着することで、揺れにくくなる等スタンド本体２の外力に抗する保持力を向上することができる。
【００２８】
前記実施例では請求項８に対応して、前記線材１がワイヤー（針金）により形成されているので、強度が大きく比較的細い線材１であっても確実に収納物６を支持することができる。
【実施例２】
【００２９】
以下に、本考案の他の実施例について説明する。尚、前記実施例と同一部分については同一符号を付し、その詳細な説明を省略する。図３〜４は実施例２を示しており、この実施例では収納物６´が名刺やメモ紙の場合である。この実施例２においては、スタンド本体２´は、正面が収納物６´の正面よりも小さい矩形となるように巻回したものであって、横向きの端部８の長手方向Ｘに直線状に沿って底辺部４´より突設する延長部９´が形成されており、底辺部４´より突設する延長部９´の長さＡ´は底辺部４´の幅Ｂ´よりも長く、概ね１．５〜２倍に形成されている。
【００３０】
したがって、収納物６´を収納空隙部７´に起立状に挿入収納することで、収納物６´を複数並設して収納することができる。この際、底辺部４´が短くても相対的にいっそう長く形成された延長部９´による支持力がスタンド本体２´の倒れ防止を図ることができる。
【００３１】
以上のように前記実施例においては、前記実施例１の作用効果の他に、請求項３に対応して、前記延長部９´の突出長さＡ´は底辺部４の幅Ｂ´よりも長く形成されたことにより、該外側に突出した延長部９´によってスタンド本体２´をいっそう確実に支持することができる。
【００３２】
そして、請求項６に対応して、巻回形成された隣接する線材１は密着していることにより、名刺やメモ紙のような薄い収納物６´であっても、確実に挿入収納を行うことができる。
【実施例３】
【００３３】
図５は実施例３を示しており、この実施例では収納物６がＣＤのケースの場合である。この実施例３においては、スタンド本体２´´は、正面が収納物６の正面よりも小さい楕円形となるように巻回したものであって、延長部９´´は端部８´´の長手方向に沿って外側に直交するように交差して底辺部４´´より突設する。そして、端部８´´より突設する延長部９´´の長さＡ´´は底辺部４´´の幅Ｂ´´よりも短く形成されている。
【００３４】
したがって、収納物６を収納空隙部７´´に起立状に挿入収納することで、収納物６を複数並設して収納することができる。
【００３５】
以上のように前記実施例においては、前記実施例１と同様にスタンド本体２´´より外側に突出する延長部９´´によりスタンド本体２´´をいっそう確実に支持することができる作用効果を奏する。
【産業上の利用可能性】
【００３６】
以上のように本考案にかかる収納スタンドは、例えば正面が三角形の環状に形成するなど各種の形状も可能であり、また収納物も各種の用途に適用できる。
【図面の簡単な説明】
【００３７】
【図１】本考案の実施例１を示す正面側の斜視図である。
【図２】同背面側の斜視図である。
【図３】本考案の実施例２を示す正面側の斜視図である。
【図４】同背面側の斜視図である。
【図５】本考案の実施例３を示す正面側の斜視図である。
【符号の説明】
【００３８】
１  線材
４  底辺部
５  巻回部
６  収納物
７  空隙部（収納部）
８  端部
９  延長部
Ａ  長さ
Ｂ  幅
Ｘ  長手方向
【図１】
0003138410.tif 000003
【図２】
0003138410.tif 000004
【図３】
0003138410.tif 000005
【図４】
0003138410.tif 000006
【図５】
0003138410.tif 000007